(57)【要約】【課題】  従来の多人数参加型創作物、枝分かれ型創作物などにおいて、複数のストーリーを作ることはできていたが、他の小節に結合させることができないことや、親である上の層に繋げて作品を作ることはできなかった。【解決手段】  本発明では枝分かれ方式ではなくリンクという方式をとることによって、単純に枝が広がっていくのではなく、他の枝の小節にも繋げることや親である上の層の創作物作品に繋げることができる。これにより、ストーリーやアイデアが広がっていくだけでなく、逆にアイデアをまとめていくことや補足説明のように間に入れるような創作物を作ることができ、より良い作品をつくることが可能となる。また、小節を評価式によって評価し、得られた評価を用いて閲覧者に対してわかりやすく表示させる。以上の発明により、創作物作品やアイデアなど、複数の人が複雑なストーリーやアイデアを共有でき、より良いものを作っていくことを可能にする。【選択図】図１
2012104080.tif 000002
【特許請求の範囲】
【請求項１】
インターネットを利用した多人数によるリンク型の創作物作品や、ストーリー、アイデア、詩、会議、情報交換、商品紹介や説明などで、文字等の全てのメディアを用いて作りあげていくものを実現する方法やプログラム、アルゴリズム並びに装置。
【請求項２】
評価式により新しい小節の評価をし、点数が高いものは上に表示され、低いものは表示されにくくするプログラム並びに装置。
【請求項３】
それぞれのリンク間の関係を感覚的にわかりやすく表示し、また閲覧者はそれを選択することができる表示方法、プログラム並びに装置。
【発明の詳細な説明】
【技術分野】
【０００１】  本発明は複数の参加者が参加するオンラインサービスの技術に関する。
【背景技術】
【０００２】  従来の多人数参加型創作物作品や枝分かれ型創作物作品などのように、複数の人が一つの種から複数のストーリーを作る創作物作品などがある。
【発明の概要】
【発明が解決しようとする課題】
【０００３】  従来の多人数参加型創作物作品、枝分かれ型創作物作品などにおいて、複数のストーリーを作ることはできていたが、他の小節に結合させることができないことや、親である上の層に繋げることはできなかったため、良い作品を作ることが困難であった。【０００４】  これまでは掲示板などに書かれた創作物を「まとめ」としてまとめる必要があった。【０００５】  さらに、これまでの評価方式では閲覧者が評価する必要があった。
【課題を解決するための手段】
【０００６】  上記の問題を解決するため、枝分かれ方式ではなくリンクという概念を用いる。これにより、親である上の層に行くことや、小節を飛び越して離れている小節に結合できるようになり、ストーリーやアイデアが広がっていくだけでなく、逆にアイデアをまとめていくことや、補足説明のように間に入れるような創作物を作ることができ、より良い作品をつくることが可能となる。【０００７】  これまでは小節ごとに良し悪しを閲覧者が評価する必要があったが、今回の発明では小節の作者をサポートするという形にし、支持されている数が多いほど良い評価になるようにする。これにより、閲覧者が評価する必要がなくなり、自動で高い評価の創作物などが表示されるようになっている。【０００８】  また、自動で評価された結果を用いて表示の順序を変更し、文字であれば冒頭から１行分を表示、絵や図であれば一つ目を表示のようにする。その結果、複雑なリンク関係を感覚的にわかりやすいものに変えることができる。
【発明の効果】
【０００９】  従来では枝分かれが増えて行くだけの一方通行のみのストーリーやアイデアを考えることができなかったが、本発明により前に出てきた小節に繋げることや、アイデアなどをまとめることや、小節と小節の補足説明を追加することができる。以上のことは、より質の良いストーリーやアイデアを生むことができる。【００１０】  また、ストーリー形式で商品の紹介をすることができ、どのような時にその商品を使うのかなどのような使い方を提供することにより、消費者の想像を膨らまし、購買意欲を高めることができる。また、閲覧者はその都度質問することも可能である。【００１１】  例えば、メーカーや使用者などが、ある商品の根本となる話を作り、メーカーや使用者が紹介や推薦することや、メーカーに質問などをしていき、それに対してまわりが意見をするということも可能になる。
【図面の簡単な説明】
【００１２】
【図１】  本発明によって作られたリンク型の小節関係図の例。
【図２】  本発明のシステムに投稿された際に評価を行うアルゴリズム。
【発明を実施するための形態】
【００１３】  以下、本発明を図１〜図２を基づいて説明する。インターネット上において、言葉を用いて創作物作品を作る際に本発明を使用する。
【００１４】  図１は、ａは作者Ａが作った根本となることで、ａからｇの順番で小節ができた例である。以下にこの例の流れを説明する。
【００１５】  作者Ｃはｆｒｏｍをａと設定し、ｂを作成する。同様に作者Ｂもｆｒｏｍをａと設定し、ｄを作成する。さらに、ｔｏをｂとする。このようにｔｏを出しても出さなくてもよい。
【００１６】  このようにしてａからｇの小節ができあがったとする。作者Ｃのように、ｃからｆへの繋がりがわかりにくいなどの場合、補足説明のようにｇをつくることも可能である。
【００１７】  このシステムにおいてｔｏにできる小節には条件があり、作成した小節から根本となるスタート位置ａに戻るまでに経由する小節には出すことができない。
【００１８】  例えばｆがｔｏをできる小節について説明する。ｆからスタートに戻るパスは、ｆ−ｃ−ａ，ｆ−ｃ−ｅ−ａ，ｆ−ｇ−ｃ−ａ，ｆ−ｇ−ｃ−ｅ−ａの４通りが考えられるが、そこにでてきた小節には出すことができない。つまりｆはそれ以外のｂ，ｄの２つをｔｏにすることができる。
【００１９】  図２は、本発明のシステムに投稿された際に評価を行うアルゴリズムであり、投稿されると評価式によって点数を付ける。この点数を用いて、閲覧の際の表示順位や優先度を変える。
【００２０】  例えば、ｃから次の小節に行く際、ｇの内容の評価がｆよりも高ければ、ｆよりもｇが次の候補に挙がるようにする。
【実施例】
【００２１】  インターネット上において、本発明を利用して創作物作品やアイデア会議や詩の作成など、言葉を用いて多人数で作り上げていくものに使用することができる。【００２２】  簡単な例としては、多人数参加リンク型創作物作品やアイデア会議である。アイデア会議では、サークルや部活などで何かの行事のために意見を出し合う際、本発明を用いたウェブサービスを利用してアイデアを出し合い、枝分かれと合流を繰り返すことにより、良いものと悪いものが分かれていき、その結果短時間でより良いものを作ることができる。【００２３】  また、他人の良いアイデアや改良できるアイデアから良いアイデアを考え、それを他の人のアイデアに繋げるなど、自分で意見をした後に他人の意見に収束させることも可能であるので、サークルなどに所属している人全員が場所を問わずに参加できる会議を提供できる。
【産業上の利用可能性】
【００２４】  本発明を用いることで、多人数による言葉や図や絵などを用いた創作物作品を作ることができる。このことは、多人数が参加する創作物を作る時や会議やコミュニケーションツールの新しい形となる。【００２５】  本発明を用いてストーリーで商品を説明する、また、すぐにお客様の質問や意見などを得ることができるといった新たな説明の方法が生まれる。従来の説明というのは一目で情報が入ってくる必要があり、あまり沢山の情報を書くことはできなかったが、この発明ではお客様にあったいろいろな使い方、またはお客様同士による体験談などの沢山の文字の情報を書き込むことができ、引き込まれるような新しい説明の方式になる。
【図１】
2012104080.tif 000003
【図２】
2012104080.tif 000004